(57)【特許請求の範囲】
【請求項１】
遊技盤の遊技領域に設けられて変動図柄を表示する特別図柄表示装置と、前記特別図柄表示装置の下方に配設されて正面視左右方向に長い横長四角形の大入賞口と前記大入賞口の前面側を覆うように開閉可能に設けられて上方に開放される扉構造を有する第１開閉扉とを有する特別入賞装置とを備え、前記変動図柄が変動後所定の態様で停止すると前記第１開閉扉が所定回数開放されて遊技者に有利な遊技状態が発生するパチンコ機において、
前記特別入賞装置は、
前記大入賞口と該大入賞口の上下方向に近接して配置されて該大入賞口よりも左右長さが短い正面視左右方向に長い横長四角形の入賞口とが前面側に設けられた入賞球誘導部材と、
前記入賞口を覆うように開閉可能に設けられて上方に開放される扉構造を有する第２開閉扉と、
前記入賞球誘導部材が裏面側に取り付けられると共に、前記第１開閉扉と前記第２開閉扉とを嵌め入れ可能に形成された１個の開口部が設けられて前記遊技盤の表面に取り付けられる取付板と、
を備え、
前記入賞球誘導部材は、
前記大入賞口の左右下側角部に形成されて前記第１開閉扉の左右下側角部から外側に突き出して形成された一対の第１回転支軸が回転可能に嵌め込まれる一対の第１凹部と、
前記入賞口の左右下側角部に形成されて前記第２開閉扉の左右下側角部から外側に突き出して形成された一対の第２回転支軸が回転可能に嵌め込まれる一対の第２凹部と、
前記大入賞口の左右両端部の一方の奥側において垂直方向に配設されてプランジャーの下端部に設けられた平板状の第１押さえ部材を介して前記第１開閉扉を開閉駆動する第１ソレノイドと、
前記大入賞口の左右両端部の他方の奥側において垂直方向に配設されてプランジャーの下端部に設けられた平板状の第２押さえ部材を介して前記第２開閉扉を開閉駆動する第２ソレノイドと、
を有し、
前記特別入賞装置は、前記入賞球誘導部材の大入賞口の前側に前記第１開閉扉の各第１回転支軸を前記第１凹部に嵌め込みつつ載せて前記第１押さえ部材を介して前記第１ソレノイドに接続すると共に、該入賞球誘導部材の前記入賞口の前側に前記第２開閉扉の各第２回転支軸を前記第２凹部に嵌め込みつつ載せて前記第２押さえ部材を介して前記第２ソレノイドに接続した後に、前記取付板の開口部を該第１開閉扉と該第２開閉扉に嵌め入れて該取付板を該入賞球誘導部材の前面部に取り付けることによって、該第１開閉扉と該第２開閉扉とが上方に開放可能な扉構造として設けられ、
前記第１開閉扉と第２開閉扉とが閉じた場合には、該第１開閉扉の前面と第２開閉扉の前面とが上下方向にほぼ連続する面を形成し、
前記第１ソレノイドの上端部と前記第２ソレノイドの上端部とは、前記大入賞口の左右両端部の奥側においてほぼ同じ高さ位置になるように配設されていることを特徴とするパチンコ機。
【発明の詳細な説明】
【０００１】
【発明の属する技術分野】
本発明は、開閉扉を備えた大入賞口の周辺部に開閉扉を備えた入賞口が設けられるパチンコ機に関し、特に、入賞口の開閉扉を大入賞口の開閉扉に近接させてほぼ連続する面を形成するように配置すると共に、この両開閉扉を特別入賞装置の略中央部に設けることにより、該大入賞口と入賞口が配設される特別入賞装置の上下寸法を小型化することができて、特別図柄表示装置の大型化に容易に対応することができるパチンコ機に関するものである。
【０００２】
【従来の技術】
従来より、開閉扉を備えた大入賞口の周辺部に開閉扉を備えた入賞口を設けたパチンコ機が種々提案されている。
例えば、特開平９−２３９１１３号公報に記載されたパチンコゲーム機では、広い間口幅の開口部に係設された第１開閉扉と、前記第１開閉扉より狭い開口幅の開口部に係設された第２開閉扉と、所定の通過口の通過によって図柄変換が開始する可変表示器と、前記第２開閉扉が係設された開口部への入賞によって変換表示の変動を開始する可変表示装置とを有し、前記可変表示装置の所定状態の達成によって前記第１開閉扉が開放し、前記可変表示器の所定状態の達成によって前記第２開閉扉が開放するパチンコゲーム機において、前記第２開閉扉が、上方に開口する開閉扉であって、前記第１開閉扉の直上に配設されるように構成されている。
【０００３】
これにより、前記可変表示器の所定状態の達成によって前記第２開閉扉が開放され、前記可変表示装置の所定状態の達成によって前記第１開閉扉が開放されるが、第１及び第２開閉扉が同時に開放される場合でも、第２開閉扉が第１開閉扉の直上に位置するため、開閉幅の広い第１開閉扉の開放によって第２開閉扉の開口部への入賞が妨げられるといったことはなく、また、第２開閉扉によって第１開閉扉の開口部への入賞も大きく妨げられるといった不都合も生じることはなく、遊技者は高い興趣をもって遊技することができる。
【０００４】
【発明が解決しようとする課題】
しかしながら、上述した特開平９−２３９１１３号公報に記載されたパチンコゲーム機においては、第２開閉扉が前記第１開閉扉の直上に配設されるため、該第２開閉扉の下端から第１開閉扉の上端までの間に所定の距離を設ける必要がある。このため、変動入賞装置１０の中央部の高さ寸法が大きくなり、大型の可変表示装置（例えば、１０インチＬＣＤ等）を取り付けた場合に、この可変表示装置の下側に始動口７を設けることが困難になるという問題がある。
【０００５】
そこで、本発明は、上述した問題点を解決するためになされたものであり、入賞口の開閉扉を大入賞口の開閉扉に近接させてほぼ連続する面を形成するように配置すると共に、この両開閉扉を特別入賞装置の略中央部に設けることにより、該大入賞口と入賞口が配設される特別入賞装置の上下寸法を小型化することができて、特別図柄表示装置の大型化に容易に対応することができるパチンコ機を提供することを目的とする。
【０００６】
【課題を解決するための手段】
前記目的を達成するため請求項１に係るパチンコ機は、遊技盤の遊技領域に設けられて変動図柄を表示する特別図柄表示装置と、前記特別図柄表示装置の下方に配設されて正面視左右方向に長い横長四角形の大入賞口と前記大入賞口の前面側を覆うように開閉可能に設けられて上方に開放される扉構造を有する第１開閉扉とを有する特別入賞装置とを備え、前記変動図柄が変動後所定の態様で停止すると前記第１開閉扉が所定回数開放されて遊技者に有利な遊技状態が発生するパチンコ機において、前記特別入賞装置は、前記大入賞口と該大入賞口の上下方向に近接して配置されて該大入賞口よりも左右長さが短い正面視左右方向に長い横長四角形の入賞口とが前面側に設けられた入賞球誘導部材と、前記入賞口を覆うように開閉可能に設けられて上方に開放される扉構造を有する第２開閉扉と、前記入賞球誘導部材が裏面側に取り付けられると共に、前記第１開閉扉と前記第２開閉扉とを嵌め入れ可能に形成された１個の開口部が設けられて前記遊技盤の表面に取り付けられる取付板と、を備え、前記入賞球誘導部材は、前記大入賞口の左右下側角部に形成されて前記第１開閉扉の左右下側角部から外側に突き出して形成された一対の第１回転支軸が回転可能に嵌め込まれる一対の第１凹部と、前記入賞口の左右下側角部に形成されて前記第２開閉扉の左右下側角部から外側に突き出して形成された一対の第２回転支軸が回転可能に嵌め込まれる一対の第２凹部と、前記大入賞口の左右両端部の一方の奥側において垂直方向に配設されてプランジャーの下端部に設けられた平板状の第１押さえ部材を介して前記第１開閉扉を開閉駆動する第１ソレノイドと、前記大入賞口の左右両端部の他方の奥側において垂直方向に配設されてプランジャーの下端部に設けられた平板状の第２押さえ部材を介して前記第２開閉扉を開閉駆動する第２ソレノイドと、を有し、前記特別入賞装置は、前記入賞球誘導部材の大入賞口の前側に前記第１開閉扉の各第１回転支軸を前記第１凹部に嵌め込みつつ載せて前記第１押さえ部材を介して前記第１ソレノイドに接続すると共に、該入賞球誘導部材の前記入賞口の前側に前記第２開閉扉の各第２回転支軸を前記第２凹部に嵌め込みつつ載せて前記第２押さえ部材を介して前記第２ソレノイドに接続した後に、前記取付板の開口部を該第１開閉扉と該第２開閉扉に嵌め入れて該取付板を該入賞球誘導部材の前面部に取り付けることによって、該第１開閉扉と該第２開閉扉とが上方に開放可能な扉構造として設けられ、前記第１開閉扉と第２開閉扉とが閉じた場合には、該第１開閉扉の前面と第２開閉扉の前面とが上下方向にほぼ連続する面を形成し、前記第１ソレノイドの上端部と前記第２ソレノイドの上端部とは、前記大入賞口の左右両端部の奥側においてほぼ同じ高さ位置になるように配設されていることを特徴とする。
【０００７】
このような特徴を有する請求項１に係るパチンコ機においては、変動図柄が変動後所定の態様で停止すると、上方に開放される扉構造を有する第１開閉扉が所定回数開放されて大入賞口が開放され、遊技者に有利な遊技状態が発生する。また、上方に開放される扉構造を有する第２開閉扉が開放されて入賞可能となる入賞口が大入賞口の上下方向に近接して配置されている。そして、この第１開閉扉と第２開閉扉とが閉じた場合には、該第１開閉扉の前面と第２開閉扉の前面とが上下方向にほぼ連続する面を形成する。また、第１開閉扉を開閉駆動する第１ソレノイドの上端部と第２開閉扉を開閉駆動する第２ソレノイドの上端部とは、大入賞口の左右両端部の奥側においてほぼ同じ高さ位置になるように配設されている。
これにより、第１開閉扉と第２開閉扉とが閉じた場合に、第２開閉扉が第１開閉扉と上下方向にほぼ連続する面を形成するように設けられ、第２開閉扉と第１開閉扉との間に所定の距離を設けることなく、この第１開閉扉と第２開閉扉とを近接させることができるため、第１開閉扉と第２開閉扉とによって形成される連続面の上下寸法を小型化し、特別入賞装置の上下高さ寸法の小型化を図ることができる。また、第１ソレノイドと第２ソレノイドの各上端部は、大入賞口の左右両端部の奥側においてほぼ同じ高さ位置になるように配設されているため、第１開閉扉と第２開閉扉とを上下方向にほぼ連続する面を形成するように配置しても、大入賞口の左右両端部の奥側に第１ソレノイドを配置できる上下高さ寸法を確保するだけでよいことから、入賞球誘導部材の高さ寸法を小型化して、特別入賞装置の上下高さ寸法の更なる小型化を図ることができ、特別図柄表示装置の大型化に容易に対応することができる。
【０００８】
【０００９】
また、第１開閉扉と第２開閉扉とは、特別入賞装置の前面部に設けられるため、一体型として構成することができ、パチンコ機の遊技盤への取り付け作業の簡略化を図ることができる。
【００１０】
【００１１】
【００１２】
【００１３】
また、第２開閉扉を第１開閉扉の上側に設けた場合には、特別遊技状態が発生して第１開閉扉が開放された際に、第２開閉扉の開口部への入賞が妨げられず、遊技者の第２開閉扉の開放への興味を強く引きつけることができ、興趣を増大させることができる。
【００１４】
【００１５】
また、第２開閉扉を第１開閉扉の下側に設けた場合には、特別遊技状態が発生して第１開閉扉が開放された際に、第２開閉扉の開口部への入賞が妨げられ、該第１開閉扉と第２開閉扉とが同時に開放されても特別遊技状態における賞球払い出しにおける賞球個数の管理を容易に行うことができる。
【００１６】
【００１７】
【００１８】
【００１９】
【００２０】
【００２１】
【００２２】
【発明の実施の形態】
以下、本発明に係るパチンコ機について、具体化した第１及び第２実施の形態を図面を参照して詳細に説明する。
先ず、第１実施形態に係るパチンコ機の全体構成について図１及び図２に基づき説明する。図１は第１実施形態に係るパチンコ機全体を示した正面図である。図２は第１実施形態に係るパチンコ機の遊技領域を示した正面図である。
【００２３】
図１において、パチンコ機１は、いわゆる第一種パチンコ機である。パチンコ機１は、後述する入賞口、特別図柄表示装置、電動役物及び、ゲート等の各種構造物が遊技盤２上に配設されている。その遊技盤２の下には、賞球払出装置７３（図７参照）を介して払い出される賞球を受ける上皿３がスピーカ３Ａを内蔵してプレート４に配設されている。そして、その上皿３の下には、下皿５が配設される。また、上皿３に連通する不図示の球送り機構を介して上皿３のパチンコ球が操作ハンドル６に連結された不図示の発射装置へ送られるよう構成されている。また、遊技盤２の裏面には特別図柄表示装置や後述する賞球の払い出しに係る制御等を行う主基板７１及び賞球制御基板７２等（図７参照）が設けられている。また、遊技盤２の両肩部には、賞球及び球切れ表示ランプ１０、１０が設けられている。
【００２４】
一方、遊技盤２の前側は、鋼板やステンレス等の金属製のガラス扉９により被覆されており、このガラス扉９は、枠体の前側にヒンジ部材等を介して開閉自在に取り付けられている内枠に開閉自在に取り付けられている。また、ガラス扉９には開口部を有する鋼板やステンレス等の金属製のガラス保持枠がスポット溶接等により固着されており、かかるガラス保持枠に装着された２枚のガラスを通して遊技領域を見ることができる。また、ガラス扉９の上部には、遊技中のエラーを表示するエラー表示ランプ７や、「当たり」を表示する当たり表示ランプ８、８が取り付けられている。
【００２５】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。
【００２６】
遊技領域１１のほぼ中央には、開口部が開設され、この開口部の前面側に特別図柄表示装置１８が配設されている。特別図柄表示装置１８には、液晶表示器１９が遊技盤２の裏面側から取り付けられている。この液晶表示器１９は、左、中、右に３つの変動図柄を表示する液晶パネルであって、右下角部には、左右に２分割された普通図柄を表示する普通図柄表示部２０が構成されている。そして、液晶表示器１９の上側には、座っている蛙のキャラクタの図柄が描かれている。
一方、特別図柄表示装置１８の左右には飾り風車２３、２４が設けられている。また、各飾り風車２３、２４と特別図柄表示装置１８の間には通常の風車２５、２６が設けられ、特別図柄表示装置１８の両肩側には電飾ランプ付きの風車２７、２８が設けられている。
【００２７】
また、特別図柄表示装置１８の直下には、第１始動口３１が配設され、この第１始動口３１の左右には各ゲート３２、３３が配設されている。この第１始動口３１には、パチンコ球の入賞を検出する第１始動口スイッチ３１Ａ（図７参照）が設けられ、パチンコ球の入賞を検出することで液晶表示器１９に表示されている特別図柄が変動する。そして、特別図柄が変動中に第１始動口３１に入賞した場合には、入賞個数が４個まで主基板７１に設けられるＲＡＭ７７の第１保留カウンタ７７Ｃ（図７参照）に記憶されて変動確定回数として保留される。そして、この第１保留カウンタ７７Ｃに記憶されているカウント値を表示する第１保留ＬＥＤ３４が、液晶表示器１９の両肩部に各々２個ずつ配置されている。
【００２８】
また、各ゲート３２、３３にはパチンコ球の通過を検出するゲートスイッチ３２Ａ、３３Ａ（図７参照）が備えられており、パチンコ球の通過を検出することで普通図柄表示部２０の普通図柄が変動する。そして、普通図柄が変動中に各ゲート３２、３３に通過した場合には、通過個数が４個まで主基板７１に設けられるＲＡＭ７７の第２保留カウンタ７７Ｄ（図７参照）に記憶されて変動確定回数として保留される。そして、この第２保留カウンタ７７Ｄに記憶されているカウント値を表示する第２保留ＬＥＤ３５が、液晶表示器１９の上側に左右水平方向に４個配置されている。
【００２９】
そして、第１始動口３１、各ゲート３２、３３の下側には、後述の横幅を持った上方に開口する第２開閉扉３７で前面部を覆われる第２始動口３８、及び後述の第２開閉扉３７よりも横幅が広い上方に開口する第１開閉扉３９で前面部を覆われる大入賞口４０が形成された特別入賞装置４１（図３、図４参照）が配設されている。また、第２始動口３８には、パチンコ球の入賞を検出する第２始動口スイッチ３８Ａ（図７参照）が設けられ、パチンコ球の入賞を検出することで液晶表示器１９に表示されている特別図柄が変動する。そして、特別図柄が変動中に第２始動口３８に入賞した場合には、入賞個数が４個まで主基板７１に設けられるＲＡＭ７７の第１保留カウンタ７７Ｃに記憶されて変動確定回数として保留される。
【００３０】
また、このような特別入賞装置４１の両側上方には電飾ランプが施された下入賞口４２、４３が配設されて遊技盤２裏面の不図示の賞球樋に連通され、この下入賞口４２、４３への入賞を検出する下入賞口スイッチ４２Ａ、４３Ａ（図７参照）が設けられている。また、特別入賞装置４１の直下にはレール１２に沿ってアウト口４４が開設されている。更に、レール１２に囲まれたこのような遊技領域１１には、前記各構成物とともに複数の釘（不図示）が打設されてパチンコ球の複雑な流路を構成している。
【００３１】
次に、特別入賞装置４１について図３及び図４に基づいて説明する。図３は第１実施形態に係るパチンコ機１の特別入賞装置４１を示す図で、（ａ）は上面図、（ｂ）は正面図である。図４は第１実施形態に係るパチンコ機１の特別入賞装置４１の各開閉扉３７、３９を開放した場合を示す斜視図である。
図３及び図４に示すように、特別入賞装置４１は、遊技盤２の表面に取付けられる取付板４６と、該取付板４６の裏面にビス止め等により取付けられる入賞球誘導部材４７とから構成されている。この取付板４６の略中央部には、各開閉扉３７、３９が裏側から嵌め込まれる略山形の開口部４８が形成されている。また、この開口部４８の左右両側には上面部に各入賞口４９、５０が形成された各突出部５１、５２が設けられている。さらに、この取付板４６の上端縁部及び下端縁部の両端角部には各取付孔４６Ａ、４６Ａ、４６Ａ、４６Ａが形成されている。
【００３２】
また、入賞球誘導部材４７は、前側に第２始動口３８及び大入賞口４０が形成されると共に、該第２始動口３８、大入賞口４０、及び各入賞口４９、５０への入賞球を遊技盤２裏面の不図示の賞球樋に案内する案内部が形成されている。また、この案内部には、第２始動口３８への入賞を検出する第２始動口スイッチ３８Ａ、大入賞口４０への入賞をカウントするカウントスイッチ４０Ａ、大入賞口４０内のＶゾーンへの入賞を検出するＶスイッチ４０Ｂ（図７参照）、及び各入賞口４９、５０への入賞を検出する入賞口スイッチ４９Ａ、５０Ａ（図７参照）が設けられている。また、この入賞球誘導部材４７の前側の各突出部５１、５２に対向する位置には、電飾ランプ（不図示）が前側に突き出して設けられている。
【００３３】
また、第２始動口３８の左右下側角部には、第２開閉扉３７の左右下側角部に外側に突き出して形成される各回転支軸５６、５６（図６参照）が回転可能に嵌め込まれる凹部（不図示）が形成されている。また、大入賞口４０の左右下側角部には、第１開閉扉３９の左右下側角部に外側に突き出して形成される各回転支軸５５、５５（図６参照）が回転可能に嵌め込まれる凹部（不図示）が形成されている。
さらに、第２始動口３８の左奥側には、後述のように第２開閉扉３７を開閉する第２ソレノイド５３がほぼ垂直方向に配設されている（図６参照）。また、大入賞口４０の右奥側には、後述のように大入賞口４０を開閉する第１ソレノイド５４がほぼ垂直方向に配設されている（図５参照）。
【００３４】
したがって、図４に示すように、先ず、第２始動口３８の前側に第２開閉扉３７の各回転支軸５６、５６を第２始動口３８の左右下側に形成される凹部に嵌め込みつつ載せ、また、大入賞口４０の前側に第１開閉扉３９の各回転支軸５５、５５を大入賞口４０の左右下側に形成される凹部に嵌め込みつつ載せる。続いて、各ソレノイド５３、５４を後述のように各開閉扉３７、３９に接続する（図５、図６参照）。次に、取付板４６の開口部４８を各開閉扉３７、３９に嵌め入れて、該取付板４６を入賞球誘導部材４７の前面部にビス止めすることによって、各開閉扉３７、３９が上方に開放可能な扉構造として特別入賞装置４１の前面部のほぼ中央部に設けられる。そして、第２開閉扉３７は、後述のようにゲート３２又はゲート３３にパチンコ球が入って、普通図柄表示部２０の普通図柄が変動後、所定の表示態様で停止した場合（例えば、「３３」、「７７」のように揃った場合等）に開かれる。また、第１開閉扉３９は、後述のように第１始動口３１又は第２始動口３７にパチンコ球が入賞し、液晶表示器１９の図柄が変動した後に、所定状態を達成した場合（例えば、「７７７」のように揃った場合等）に開かれる。
【００３５】
次に、第１開閉扉３９の開閉動作について図５に基づいて説明する。図５は第１実施形態に係るパチンコ機１の第１開閉扉３９の開閉動作を示す斜視図で、（ａ）は通常の閉鎖時、（ｂ）は開放時の動作を示す斜視図である。
図５（ａ）、（ｂ）に示すように、第１開閉扉３９の左右両端部には前面側に延出される略扇形の当接部５８、５８が形成されている。また、この第１開閉扉３９の下側端縁部の両側端面には、所定長さの回転支軸５５、５５が外側に突き出して設けられている。また、第１開閉扉３９の左右両端部の裏側には、斜め下方向に延出される延出部５９、５９が形成されている。更に、右側（図５中、右側）の延出部５９には押さえピン５９Ａが、外側に所定長さ突き出して形成されている。
【００３６】
また、第１開閉扉３９の右後方に配置される第１ソレノイド５４のプランジャーの下端部には、略平板状の押さえ部材６０がこのプランジャーに垂直に取付けられている。また、押さえ部材６０の前側端面部には押さえ部６０Ａが略垂直に前に突き出して形成されている。
そして、第１ソレノイド５４の下端面と押さえ部材６０の上面との間には圧縮コイルバネ６１がプランジャーに遊嵌され、通常時（第１ソレノイド５４に通電していない時）には、押さえ部材６０がこの圧縮コイルバネ６１によって下側方向に押し下げられている（図５（ａ）参照）。また、「大当たり」時等（第１ソレノイド５４に通電した時）には、押さえ部材６０は上方向に引き上げられる（図５（ｂ）参照）。
【００３７】
また、押さえ部材６０の押さえ部６０Ａの先端部下面は、第１ソレノイド５４に通電しない場合に、第１開閉扉３９の押さえピン５９Ａに当接して、下側に付勢するように構成されている。また、この第１ソレノイド５４に通電した場合には、押さえ部材６０の押さえ部６０Ａが、第１開閉扉３９の押さえピン５９Ａを下側に押さえないように構成されている。
これにより、図５（ａ）に示すように、通常時には、この押さえピン５９Ａは押さえ部６０Ａによって押し下げられるため、第１開閉扉３９は、回転支軸５５、５５を中心に裏側方向に回転して、この第１開閉扉３９の裏面は、入賞球誘導部材４７の前面部に当接され、大入賞口４０が閉塞される。
一方、図５（ｂ）に示すように、「大当たり」時等には、押さえ部材６０は上方向に引き上げられて、押さえ部６０が押さえピン５９Ａを押さえなくなるため、第１開閉扉３９は、当接部５８、５８の重量によって回転支軸５５、５５を中心に前側方向に回転して、この当接部５８、５８の前側端面部が取付板４６の前面部に当接され、大入賞口４０が開放される。
【００３８】
次に、第２開閉扉３７の開閉動作について図６に基づいて説明する。図６は第１実施形態に係るパチンコ機１の第２開閉扉３７の開閉動作を示す斜視図で、（ａ）は通常の閉鎖時、（ｂ）は開放時の動作を示す斜視図である。
図６（ａ）、（ｂ）に示すように、第２開閉扉３７の両側端面の下側端縁部には、下端縁部の厚さ寸法とほぼ同じ直径寸法を有する回転支軸５６、５６が外側に所定長さ突き出して設けられている。また、この各回転支軸５６、５６の端縁部には、上側に略くの字状（図６中、下側に凸状）に曲がった止め部６３、６３が裏側方向に延出されている。この各止め部６３、６３の先端部分の上側面は、第２開閉扉３７に対してほぼ垂直になるように後側方向に延出されている。更に、左側の止め部６３の外側端面部（図６（ａ）中、左側端面部）には、押さえピン６４が、外側に所定長さ突き出して形成されている。
【００３９】
また、第２開閉扉３７の左後方に配置される第２ソレノイド５３のプランジャーの下端部には、第２ソレノイド５３の下端面部とほぼ同じ大きさの略平板状の押さえ部材６５が、このプランジャーに垂直に取付けられている。また、押さえ部材６５の前側端面部には、略平板状のつかみ部６５Ａが略垂直に前に突き出して形成されている。このつかみ部６５Ａの前面の上部には、所定長さの爪部６６、６６が、押さえピン６４の直径寸法よりも大きい上下高さ寸法の凹部を形成するように前側に突き出して形成されている。
そして、第２ソレノイド５３の下端面と押さえ部材６５の上面との間には圧縮コイルバネ（不図示）がプランジャーに遊嵌され、通常時（第２ソレノイド５３に通電していない時）には、押さえ部材６５がこの圧縮コイルバネによって下側方向に押し下げられている（図６（ａ）参照）。また、第２ソレノイド５３に通電した時には、押さえ部材６５は上方向に引き上げられる（図６（ｂ）参照）。
【００４０】
また、押さえ部材６５の各爪部６６、６６の間に第２開閉扉３７の押さえピン６４を挟むように配置され、第２ソレノイド５３に通電しない場合には、上側の爪部６６の下面が押さえピン６４に当接して、下側に付勢するように構成されている。また、この第２ソレノイド５３に通電した場合には、下側の爪部６６の上面が押さえピン６４に当接して、上側に付勢するように構成されている。
これにより、図６（ａ）に示すように、通常時には、第２開閉扉３７の押さえピン６４は、押さえ部材６５の上側の爪部６６によって押し下げられるため、第２開閉扉３７は、回転支軸５６、５６を中心に裏側方向に回転して、この第２開閉扉３７の裏面は、入賞球誘導部材４７の前面部に当接され、第２始動口３８が閉塞される。
一方、図６（ｂ）に示すように、第２ソレノイド５３に通電した場合には、押さえ部材６５は上方向に引き上げられて、第２開閉扉３７の押さえピン６４は、押さえ部材６５の下側の爪部６６によって押し上げられるため、第２開閉扉３７は、回転支軸５６、５６を中心に前側方向に回転して、各止め部６３、６３の先端部が取付板４６の裏面に当接され、第２始動口３８が開放される。
【００４１】
次に、上記のように構成されたパチンコ機１の賞球の払い出し等に係る制御システムの構成について図７に基づいて説明する。図７は第１実施形態に係るパチンコ機１の賞球の払い出し等に係る制御システムの構成を示すブロック図である。
図７に示すように、パチンコ機１の賞球の払い出し等に係る制御システムは、主基板７１、賞球制御基板７２、及び賞球払出装置７３等から構成されている。
そして、主基板７１には、ＣＰＵ７５、ＲＯＭ７６、ＲＡＭ７７、入力回路７８、及び出力回路７９等が配設されている。また、このＣＰＵ７５、ＲＯＭ７６、ＲＡＭ７７、入力回路７８、及び出力回路７９は、バス線により相互に接続されている。一方、賞球制御基板７２には、ＣＰＵ８１、ＲＯＭ８２、ＲＡＭ８３、入力回路８４、及び出力回路８５等が配設されている。そして、このＣＰＵ８１、ＲＯＭ８２、ＲＡＭ８３、入力回路８４、及び出力回路８５は、バス線により相互に接続されている。さらに、賞球払出装置７３は、払出カウントスイッチ８７及び払出ソレノイド８８等から構成されている。
【００４２】
また、主基板７１の入力回路７８には、賞球タンクスイッチ９１、下皿オーバーフロースイッチ９２、各入賞口スイッチ４９Ａ、５０Ａ、各下入賞口スイッチ４２Ａ、４３Ａ、第１始動口スイッチ３１Ａ、第２始動口スイッチ３８Ａ、各ゲートスイッチ３２Ａ、３３Ａ、大入賞口カウントスイッチ４０Ａ、Ｖスイッチ４０Ｂ、及び払出カウントスイッチ８７が配線により接続されている。また、主基板７１の出力回路７９には、表示制御回路部９５を介して液晶表示器１９、第１ソレノイド５４、及び第２ソレノイド５３等が配線により接続されている。そして、この主基板７１の出力回路７９と賞球制御基板７２の入力回路８４とは配線により接続されている。更に、賞球制御基板７２の出力回路８５には、払出ソレノイド８８等が配線により接続されている。
【００４３】
そして、主基板７１のＣＰＵ７５は、ＲＯＭ７６に予め格納されているパラメータや後述の制御プログラムに従って、入力回路７８を介して入力される入力信号等に基づいて、各種制御信号を出力回路７９を介して賞球制御基板７２や表示制御回路部９５等に出力する。
また、ＲＡＭ７７には、クロック回路（不図示）から入力されるクロック信号に基づいて０から１９８まで繰り返し１ずつ加算した数値（最大値１９８の次には最小値０に戻る）が格納される大当たりカウンタ７７Ａが設けられている。また、クロック回路から入力されるクロック信号に基づいて０から９まで繰り返し１ずつ加算した数値（最大値９の次には最小値０に戻る）が格納される普通図柄カウンタ７７Ｂが設けられている。また、特別図柄表示装置１８の変動図柄が変動中に第１始動口３１又は第２始動口３８に入賞した入賞個数が最大４個までカウントされる第１保留カウンタ７７Ｃが設けられている。また、普通図柄表示部２０の普通図柄が変動中にゲート３２又はゲート３３を通過した通過個数が最大４個までカウントされる第２保留カウンタ７７Ｄが設けられている。また、第１始動口３１又は第２始動口３８に入賞したときの大当たりカウンタ７７Ａのカウント値や、各ゲート３２、３３をパチンコ球が通過したときの普通図柄カウンタ７７Ｂのカウント値等が記憶されるパラメータ記憶エリア７７Ｅが設けられている。
また、入力回路７８は、外部から入力されたアナログ信号等をディジタル信号に変換して出力する回路である。出力回路７９は、ＣＰＵ７５を介して演算された各種データをシリアルデータ等に変換して出力する回路である。
【００４４】
また、賞球制御基板７２のＣＰＵ８１は、ＲＯＭ８２に予め格納されているパラメータや制御プログラムに従って、入力回路８４を介して入力される主基板７１からの入力信号等に基づいて、各種制御信号を出力回路８５を介して出力して払出ソレノイド８８等を駆動制御する。また、ＲＯＭ８２は、払出ソレノイド８８等の駆動制御プログラム等を格納するメモリである。ＲＡＭ８３は、ＣＰＵ８１を介して演算された各種データや外部から入力されたデータ等を一時的に記憶するメモリである。また、入力回路８４は、外部から入力されたアナログ信号等をディジタル信号に変換して出力する回路である。出力回路８５は、ＣＰＵ８１の制御により払出ソレノイド８８の駆動電圧等を出力する。
【００４５】
ここで、第２始動口３８は、入賞口として機能する。また、ＣＰＵ７５、ＲＯＭ７６、ＲＡＭ７７、及び表示制御回路部９５は、普通図柄表示手段を構成する。更に、第２始動口スイッチ３８Ａは、入賞検出手段として機能する。
【００４６】
次に、このように構成された制御システムの各ゲート３２、３３をパチンコ球が通過した場合の制御処理について図８及び図９に基づいて説明する。尚、パチンコ機１のＣＰＵ７５は、所定時間毎（第１実施形態では、約３０ｍｓｅｃ毎）に入力される割込信号に基づいて各ゲート３２、３３をパチンコ球が通過した場合の制御処理を実行する。図８は第１実施形態に係るパチンコ機１の各ゲート３２、３３をパチンコ球が通過した場合の制御処理を示すフローチャートである。図９は第１実施形態に係るパチンコ機１の「第２始動口開放処理」を示すサブフローチャートである。
【００４７】
図８に示すように、先ず、ステップ（以下、Ｓという）１において、ＣＰＵ７５は、各ゲート３２、３３のパチンコ球の通過、即ち各ゲートスイッチ３２Ａ、３３Ａからのパチンコ球の検出信号が、入力回路７８を介して入力されたか否か判定する判定処理を実行する。
そして、各ゲートスイッチ３２Ａ、３３Ａからのパチンコ球の検出信号が、入力回路７８を介して入力されていない場合には（Ｓ１：ＮＯ）、処理を終了する。
【００４８】
一方、各ゲートスイッチ３２Ａ、３３Ａからのパチンコ球の検出信号が、入力回路７８を介して入力された場合には（Ｓ１：ＹＥＳ）、Ｓ２において、「カウント値取得処理」を実行する。
この「カウント値取得処理」は、ＣＰＵ７５は、各ゲートスイッチ３２Ａ、３３Ａから検出信号が入力された時の普通図柄カウンタ７７Ｂに記憶されている数値をその時の「普通図柄カウント値」として代数Ｆに代入してパラメータ記憶エリア７７Ｅに記憶する。従って、この代数Ｆには「０」〜「９」のいずれかの数値が代入されてパラメータ記憶エリア７７Ｅに記憶される。
また、普通図柄表示部２０に表示される普通図柄の変動中に各ゲート３２、３３を通過したパチンコ球の個数は、第２保留カウンタ７７Ｄに最大４個まで保留されると共に、各通過時の普通図柄カウンタ７７Ｂのカウント値が「普通図柄カウント値」としてパラメータ記憶エリア７７Ｅに記憶されて、順次「当たり」か否か判定される（Ｓ４参照）。
【００４９】
続いて、Ｓ３において、ＣＰＵ７５は、表示制御回路部９５を介して液晶表示器１９の普通図柄表示部２０に表示される普通図柄の変動を開始する。尚、この普通図柄は、左右に並ぶ２個の数値から構成され、変動中には各々独立して「３」と「７」が交互に表示される。
【００５０】
次にＳ４において、ＣＰＵ７５は、「当たり」か否かを判定する判定処理を実行する。
この「当たり」か否かの判定処理は、先ず、パラメータ記憶エリア７７Ｅから「普通図柄カウント値」としての代数Ｆを読み出す。そして、この代数Ｆが、ＲＯＭ７６に記憶されている「当たり数値」（第１実施形態の場合は、「３」と「７」である。）と一致するか否か判定する。そして、一致すれば、当たり代数Ｇ（電源投入時に、当たり代数Ｇには「０」が代入されている。）に「１」を代入して、再度パラメータ記憶エリア７７Ｅに記憶し、一致しない場合には、当たり代数Ｇに「０」を代入して、再度パラメータ記憶エリア７７Ｅに記憶する。したがって、「当たり」の発生する確率は、２／１０である。
【００５１】
そして、再度、パラメータ記憶エリア７７Ｅから当たり代数Ｇが読み出され、この当たり代数Ｇが「０」か「１」か判定される。即ち、「当たり」が発生したか否か判定される。そして、当たり代数Ｇが「１」の場合には、「当たり」が発生したと判定されて（Ｓ４：ＹＥＳ）、Ｓ５において、当たり普通図柄がその回の停止図柄としてＲＯＭ７６から選択されて、該当たり普通図柄を表示するように出力回路７９を介して表示制御回路部９５に出力される。そして、表示制御回路部９５は、この入力された当たり普通図柄を普通図柄表示部２０に表示する。（例えば、「普通図柄カウント値」としての代数Ｆが「３」の場合には、「３３」が当たり普通図柄として普通図柄表示部２０に表示され、「普通図柄カウント値」としての代数Ｆが「７」の場合には、「７７」が当たり普通図柄として普通図柄表示部２０に表示される。）
続いて、Ｓ６において、「第２始動口開放処理」のサブ処理を実行後、処理を終了する。
【００５２】
他方、Ｓ４において、再度、パラメータ記憶エリア７７Ｅから当たり代数Ｇが読み出され、この当たり代数Ｇが「０」の場合には、「当たり」が発生していないと判定されて（Ｓ４：ＮＯ）、Ｓ７において、ハズレ普通図柄がその回の停止図柄としてＲＯＭ７６から選択されて、該ハズレ普通図柄を表示するように出力回路７９を介して表示制御回路部９５に出力される。そして、表示制御回路部９５は、この入力されたハズレ普通図柄を普通図柄表示部２０に表示して処理を終了する。（例えば、「普通図柄カウント値」としての代数Ｆが「０」〜「２」若しくは「４」の場合には、「３７」がハズレ普通図柄として表示制御回路部９５に出力され、普通図柄表示部２０に表示される。また、「普通図柄カウント値」としての代数Ｆが「５」、「６」、「８」若しくは「９」の場合には、「７３」がハズレ普通図柄として表示制御回路部９５に出力され、普通図柄表示部２０に表示される。）
【００５３】
次に、この「第２始動口開放処理」のサブ処理（Ｓ６）について図９に基づいて説明する。
図９に示すように、「第２始動口開放処理」のサブ処理は、先ず、Ｓ１１において、ＣＰＵ７５は、出力回路７９を介して第２ソレノイド５３への通電をオンして、第２始動口３８を閉塞する第２開閉扉３７を開放する（図６（ｂ）参照）。
【００５４】
続いて、Ｓ１２において、第２始動口３８を開放してから２秒経過したか否か判定する。そして、第２始動口３８を開放してから２秒経過していない場合には（Ｓ１２：ＮＯ）、再度、Ｓ１１以降の処理を実行する。
【００５５】
一方、第２始動口３８を開放してから２秒経過した場合には（Ｓ１２：ＹＥＳ）、Ｓ１３において、ＣＰＵ７５は、出力回路７９を介して第２ソレノイド５３への通電をオフして、第２開閉扉３７を閉じて第２始動口３８を閉塞し、当該サブ処理を終了して「ゲート通過処理」に戻る。
【００５６】
次に、上記のように構成された制御システムの各始動口３１、３８に入賞した場合の制御処理について図１０及び図１１に基づいて説明する。尚、パチンコ機１のＣＰＵ７５は、所定時間毎（第１実施形態では、約２０ｍｓｅｃ毎）に入力される割込信号に基づいて各始動口３１、３８に入賞した場合の制御処理を実行する。図１０は第１実施形態に係るパチンコ機１の各始動口３１、３８に入賞した場合の制御処理を示すフローチャートである。図１１は第１実施形態に係るパチンコ機１の「大当たり遊技処理」を示すサブフローチャートである。
【００５７】
図１０に示すように、先ず、Ｓ２１において、ＣＰＵ７５は、第１始動口３１又は第２始動口３８への入賞、即ち第１始動口スイッチ３１Ａ又は第２始動口スイッチ３８Ａからの検出信号が、入力回路７９を介して入力されたか否か判定する判定処理を実行する。
そして、第１始動口スイッチ３１Ａ又は第２始動口スイッチ３８Ａからの検出信号が入力回路７９を介して入力されていない場合には（Ｓ２１：ＮＯ）、処理を終了する。
【００５８】
一方、第１始動口スイッチ３１Ａ又は第２始動口スイッチ３８Ａからの検出信号が入力回路７９を介して入力されている場合には（Ｓ２１：ＹＥＳ）、Ｓ２２において、「カウント値取得処理」を実行する。
この「カウント値取得処理」は、ＣＰＵ７５は、第１始動口スイッチ３１Ａ又は第２始動口スイッチ３８Ａから検出信号が入力された時の大当たりカウンタ７７Ａに記憶されている数値をその時の「大当たりカウント値」として代数Ｖに代入してパラメータ記憶エリア７７Ｅに記憶する。従って、この代数Ｖには「０」〜「１９８」のいずれかの数値が代入されてパラメータ記憶エリア７７Ｅに記憶される。
また、変動図柄（特別図柄）の変動中に各始動口３１、３８の入賞の個数は、第１保留カウンタ７７Ｃに最大４個まで保留されると共に、各入賞時の大当たりカウンタ７７Ａのカウント値が「大当たりカウント値」としてパラメータ記憶エリア７７Ｅに記憶されて、順次「大当たり」か否か判定される（Ｓ２４参照）。また、ＣＰＵ７５は、ＲＯＭ７６から各始動口３１、３８の１個の入賞に対する賞球個数５個を読み出して、払出個数を算出すると共に、出力回路７９を介して賞球制御基板７２の入力回路８４に賞球払出個数データを出力する。これにより、賞球制御基板７２のＣＰＵ８１は、この払出個数データに基づいて出力回路８５を介して払出ソレノイド８８を駆動し、所定個数の賞球を払い出す。また、この払い出される賞球の個数は、払出カウントスイッチ８７を介して主基板７１のＣＰＵ７５により確認される。
【００５９】
続いて、Ｓ２３において、ＣＰＵ７５は、表示制御回路部９５を介して液晶表示器１９に表示される変動図柄（左・中・右に表示される特別図柄）の変動を開始する。
【００６０】
次に、Ｓ２４において、ＣＰＵ７５は、「大当たり」か否かを判定する判定処理を実行する。
この「大当たり」か否かの判定処理は、先ず、パラメータ記憶エリア７７Ｅから「大当たりカウント値」としての代数Ｖを読み出す。そして、この代数Ｖが、ＲＯＭ７６に記憶されている「大当たり数値」（第１実施形態の場合は、「７」である。）と一致するか否か判定する。そして、一致すれば、パラメータ記憶エリア７７Ｅから大当たり代数Ｒ（電源投入時に、大当たり代数Ｒには「０」が代入されている。）を読み出し、該大当たり代数Ｒに「１」を代入して再度、パラメータ記憶エリア７７Ｅに記憶する。また、一致しない場合には、該大当たり代数Ｒに「０」を代入して再度、パラメータ記憶エリア７７Ｅに記憶する。従って、「大当たり」の発生する確率は、１／１９９である。
【００６１】
続いて、ＣＰＵ７５は、再度、パラメータ記憶エリア７７Ｅから大当たり代数Ｒを読み出し、この大当たり代数Ｒが「０」か「１」か判定する。即ち、「大当たり」が発生したか否か判定する。
そして、大当たり代数Ｒが「１」の場合には、「大当たり」が発生したと判定して（Ｓ２４：ＹＥＳ）、Ｓ２５において、大当たり図柄の表示パターンを表すパターン番号（第１実施形態の場合は、大当たり図柄の表示パターンを表すパターン番号を１０種類記憶している。例えば、「３３」、「７７」等である。）をＲＯＭ７６から選択して、出力回路７９を介して表示制御回路部９５に出力する。表示制御回路部９５は、この入力されたパターン番号に対応する大当たり図柄の表示パターンを液晶表示器１９に表示する（例えば、パターン番号「７７」の場合には、リーチパターン「７↓７」から大当たり図柄「７７７」を表示する表示パターンである。）。また、同時に、所定のランプやＬＥＤが点滅し、効果音が発生して、雰囲気が盛り上げられる。
【００６２】
続いて、Ｓ２６において、ＣＰＵ７５は、後述の「大当たり遊技処理」のサブ処理（図１１参照）を実行後、処理を終了する。
【００６３】
一方、Ｓ２４において、再度、パラメータ記憶エリア７７Ｅから大当たり代数Ｒを読み出し、この大当たり代数Ｒが「０」の場合には、「ハズレ」として判定して（Ｓ２４：ＮＯ）、Ｓ２７において、ハズレ図柄の表示パターンを表すパターン番号（第１実施形態の場合は、ハズレ図柄の表示パターンを表すパターン番号を２０種類記憶している。例えば、「１３」、「１７」等である。）をＲＯＭ７６から選択して、出力回路７９を介して表示制御回路部９５に出力する。表示制御回路部９５は、この入力されたパターン番号に対応するハズレ図柄の表示パターンを液晶表示器１９に表示する（例えば、パターン番号「１７」の場合には、リーチパターン「７↓７」からハズレ図柄「７１７」を表示する表示パターンである。）。また、同時に、所定のランプやＬＥＤが点滅し、効果音が発生して、雰囲気が盛り上げられ、ハズレ図柄を停止させて処理を終了する。
【００６４】
次に、「大当たり遊技処理」（Ｓ２６）のサブ処理について図１１に基づいて説明する。図１１は第１実施形態に係るパチンコ機１の「大当たり遊技処理」のサブ処理を示すサブフローチャートである。
図１１に示すように、先ず、Ｓ３１において、ＣＰＵ７５は、第１ソレノイド５４を介して、大入賞口４０を閉塞する第１開閉扉３９を開放する（図５参照）。
【００６５】
続いて、Ｓ３２において、大入賞口４０に入賞した入賞球が１０個に達したか否か、即ち、大入賞口カウントスイッチ４０Ａにより検出された入賞個数が１０個に達したか否か判定する。
そして、大入賞口４０に入賞した入賞球が１０個に達していない場合には（Ｓ３２：ＮＯ）、Ｓ３３において、大入賞口４０を開放してから所定時間（第１実施形態の場合は、２５秒である。）経過したか否か判定する。そして、大入賞口４０を開放してから所定時間経過していない場合には（Ｓ３３：ＮＯ）、再度、Ｓ３１以降の処理を実行する。
【００６６】
一方、大入賞口４０に入賞した入賞球が１０個に達した場合（Ｓ３２：ＹＥＳ）、若しくは大入賞口４０を開放してから所定時間経過した場合には（Ｓ３３：ＹＥＳ）、Ｓ３４において、ＣＰＵ７５は、第１ソレノイド５４を介して、第１開閉扉３９を閉じて大入賞口４０を閉塞する。
【００６７】
続いて、Ｓ３５において、ＣＰＵ７５は、大入賞口４０の開放中に該大入賞口４０内に設けられるＶゾーンに入賞したか否か、即ち大入賞口４０の開放中にＶスイッチ４０Ｂから入賞球の検出信号が入力されているか否か判定する判定処理を実行する。
そして、大入賞口４０の開放中に該Ｖスイッチ４０Ｂから入賞検出信号が入力されている場合には（Ｓ３５：ＹＥＳ）、Ｓ３６において、大入賞口４０を継続して開放した回数が所定の最高継続回数（第１実施形態の場合には、「１６回」である。）に達したか否か判定する判定処理を実行する。この大入賞口４０を開放した回数が、所定の最高継続回数に達していない場合には（Ｓ３６：ＮＯ）、大入賞口４０を閉塞してから所定時間（第１実施形態では、約２秒である。）経過後、再度、Ｓ３１以降の処理を実行する。
【００６８】
また、大入賞口４０の開放中にＶスイッチ４０Ｂから入賞検出信号が入力されていない場合（Ｓ３５：ＮＯ）、若しくは、この大入賞口４０を開放した回数が、所定の最高継続回数に達した場合には（Ｓ３６：ＹＥＳ）、当該サブ処理を終了して「始動口入賞処理」に戻る。
【００６９】
以上詳細に説明した通り第１実施形態に係るパチンコ機１では、入賞球誘導部材４７の前面側に形成される第２始動口３８の前側に第２開閉扉３７を載せると共に、この第２始動口３８の下側に形成される大入賞口４０の前側に第１開閉扉３９を載せて、各ソレノイド５３、５４を各開閉扉３７、３９に接続すると共に、取付板４６の略山形の開口部４８を各開閉扉３７、３９に嵌め入れて、該取付板４６を入賞球誘導部材４７にビス止めすることによって、各開閉扉３７、３９が上方に開放可能な扉構造として設けられる。これにより、大入賞口４０を閉塞する第１開閉扉３９と、第２始動口３８を閉塞する第２開閉扉３７とが、両開閉扉３９、３７の閉塞時にほぼ連続する面を形成するように特別入賞装置４１の前面部のほぼ中央位置に隣接して設けられる。また、第２開閉扉３７は、第１開閉扉３９の上側に設けられる。
【００７０】
したがって、第１開閉扉３９と第２開閉扉３７とが閉じた場合に、第２開閉扉３７が第１開閉扉３９とほぼ連続する面を形成するように設けられ、第１開閉扉３９と第２開閉扉３７とを近接させることができるため、この第１開閉扉３９と第２開閉扉３７とによって形成される連続面の上下寸法を小型化することができて、特別図柄表示装置１８の大型化（液晶表示器１９の大型化）に容易に対応することができる。
【００７１】
また、第１開閉扉３９と第２開閉扉３７とは、特別入賞装置４１の前面部に設けられるため、一体型として構成することができ、パチンコ機１の遊技盤２への取り付け作業の簡略化を図ることができる。
また、第１開閉扉３９と第２開閉扉３７とは、特別入賞装置４１の前面部の略中央部に設けられるため、特別入賞装置４１の中央部の上下高さ寸法の小型化を図ることができ、特別図柄表示装置１８の大型化（液晶表示器１９の大型化）に更に容易に対応することができる。
【００７２】
また、第２開閉扉３７は、第１開閉扉３９の上側に設けられるため、「大当たり」が発生して第１開閉扉３９が開放された場合にも、第２開閉扉３７の開口部への入賞が妨げられず、遊技者の第２開閉扉３７の開放への興味を強く引きつけることができ、興趣を増大させることができる。
【００７３】
また、遊技者は変動図柄の変動だけでなく普通図柄の変動によっても「大当たり」が発生する可能性があるため、第２開閉扉３７の開放に対して遊技者の興味を強く引きつけることができ、興趣を増大させることができる。
【００７４】
また、表示制御回路部９５は、普通図柄を液晶表示器１９の普通図柄表示部２０に表示するため、普通図柄の表示のために独立した表示装置を別に設ける必要がなくなり、パチンコ機１の部品点数の削減化、及び組立工数の削減化を図ることができる。
【００７５】
更に、第２開閉扉３７が開放することによって第２始動口３８へ入賞した場合には、変動図柄が変動するため、遊技者の第２開閉扉３７の開放への興味を更に強く引きつけることができ、興趣をより増大させることができる。
【００７６】
次に、第２実施形態に係るパチンコ機について説明する。第２実施形態に係るパチンコ機の概略構成及び制御回路構成は、第１実施形態に係るパチンコ機１とほぼ同じ構成であり、「ゲート通過処理」（図８参照）、「第２始動口開放処理」（図９参照）、「始動口入賞処理」（図１０参照）、及び「大当たり遊技処理」（図１１参照）も第１実施形態に係るパチンコ機１とほぼ同じ制御処理である。但し、第２実施形態に係るパチンコ機は、第１実施形態に係るパチンコ機１の特別入賞装置４１に替えて特別入賞装置１０１が遊技領域１１に設けられている。この遊技領域１１に特別入賞装置１０１が設けられた第２実施形態に係るパチンコ機の概略構成について図１２に基づいて説明する。図１２は第２実施形態に係るパチンコ機の遊技領域を示した正面図である。
【００７７】
図１２に示すように、第２実施形態に係るパチンコ機は、特別入賞装置４１に替えてほぼ同じ形状の特別入賞装置１０１が特別図柄表示装置１８の下方に設けられている。但し、この特別入賞装置１０１の前面部のほぼ中央部には、横幅が広い上方に開口する第１開閉扉３９で前面部を覆われる大入賞口４０と、この大入賞口４０の下側に第１開閉扉３９よりも横幅の狭い上方に開口する第２開閉扉３７で前面部を覆われる第２始動口３８とが配設されている。また、この第１開閉扉３９と第２開閉扉３７は、両扉を閉じた場合に、第２開閉扉３７が第１開閉扉３９とほぼ連続する面を形成するように設けられている。
【００７８】
また、この特別入賞装置１０１は、第１実施形態に係る特別入賞装置４１と同様に、遊技盤２の表面に取付けられる取付板と（図３参照）、該取付板の裏面にビス止め等により取付けられる入賞球誘導部材とから構成されている。この入賞球誘導部材は、前面部のほぼ中央部の上側に大入賞口４０が形成されると共に、この大入賞口４０の下側のほぼ中央部に第２始動口３８が形成され、該大入賞口４０、第２始動口３８、及び各入賞口４９、５０（図３参照）への入賞球を遊技盤２裏面の不図示の賞球樋に案内する案内部が形成されている。
また、この入賞球誘導部材の前面に取付けられる取付板の略中央部には、各開閉扉３９、３７が裏側から嵌め込まれる略逆山形の開口部が形成されている。また、この開口部の左右両側には第１実施形態に係る取付板４６（図３参照）と同様に上面部に各入賞口４９、５０が形成された各突出部５１、５２が設けられている。さらに、この取付板の上端縁部及び下端縁部の両端角部には４個の取付孔が形成され、遊技盤２の表面に釘止めやビス止め等により取付けられる。
【００７９】
また、前記第１実施形態と同様に、第２始動口３８には、パチンコ球の入賞を検出する第２始動口スイッチ３８Ａ（図７参照）が設けられ、パチンコ球の入賞を検出することで液晶表示器１９に表示されている特別図柄が変動する。そして、特別図柄が変動中に第２始動口３８に入賞した場合には、入賞個数が４個まで主基板７１に設けられるＲＡＭ７７の第１保留カウンタ７７Ｃに記憶されて変動確定回数として保留される。また、大入賞口４０には、入賞をカウントするカウントスイッチ４０Ａ、大入賞口４０内のＶゾーンへの入賞を検出するＶスイッチ４０Ｂ（図７参照）が設けられている。また、各入賞口４９、５０（図３参照）への入賞を検出する入賞口スイッチ４９Ａ、５０Ａ（図７参照）が設けられている。また、この入賞球誘導部材の前側の各突出部５１、５２（図３参照）に対向する位置には、電飾ランプ（不図示）が前側に突き出して設けられている。
【００８０】
ここで、第２始動口３８は、入賞口として機能する。また、ＣＰＵ７５、ＲＯＭ７６、ＲＡＭ７７、及び表示制御回路部９５は、普通図柄表示手段を構成する。更に、第２始動口スイッチ３８Ａは、入賞検出手段として機能する。
【００８１】
以上詳細に説明した通りに、第２実施形態に係るパチンコ機では、入賞球誘導部材の前面側に形成される第１始動口４０の前側に第１開閉扉３９を載せると共に、この第１始動口４０の下側に形成される第２始動口３８の前側に第２開閉扉３７を載せて、各ソレノイド５３、５４を各開閉扉３７、３９に接続すると共に、取付板の略逆山形の開口部を各開閉扉３９、３７に嵌め入れて、該取付板を入賞球誘導部材にビス止めすることによって、各開閉扉３９、３７が上方に開放可能な扉構造として設けられる。これにより、大入賞口４０を閉塞する第１開閉扉３９と、第２始動口３８を閉塞する第２開閉扉３７とが、両開閉扉３９、３７の閉塞時にほぼ連続する面を形成するように特別入賞装置１０１の前面部のほぼ中央位置に隣接して設けられる。また、第２開閉扉３７は、第１開閉扉３９の下側に設けられる。
【００８２】
したがって、第１開閉扉３９と第２開閉扉３７とが閉じた場合に、第２開閉扉３７が第１開閉扉３９とほぼ連続する面を形成するように設けられ、第１開閉扉３９と第２開閉扉３７とを近接させることができるため、この第１開閉扉３９と第２開閉扉３７とによって形成される連続面の上下寸法を小型化することができて、特別図柄表示装置１８の大型化（液晶表示器１９の大型化）に容易に対応することができる。
【００８３】
また、第１開閉扉３９と第２開閉扉３７とは、特別入賞装置１０１の前面部に設けられるため、一体型として構成することができ、遊技盤２への取り付け作業の簡略化を図ることができる。
また、第１開閉扉３９と第２開閉扉３７とは、特別入賞装置１０１の前面部の略中央部に設けられるため、特別入賞装置１０１の中央部の上下高さ寸法の小型化を図ることができ、特別図柄表示装置１８の大型化（液晶表示器１９の大型化）に更に容易に対応することができる。
【００８４】
また、第２開閉扉３７は、第１開閉扉３９の下側に設けられるため、「大当たり」が発生して第１開閉扉３９が開放された場合には、第２開閉扉３７の開口部への入賞が妨げられるため、該第１開閉扉３９と第２開閉扉３７とが同時に開放されても「大当たり」遊技状態における賞球払い出しにおける賞球個数の管理を容易に行うことができる。
【００８５】
また、遊技者は変動図柄の変動だけでなく普通図柄の変動によっても「大当たり」が発生する可能性があるため、第２開閉扉３７の開放に対して遊技者の興味を強く引きつけることができ、興趣を増大させることができる。
【００８６】
また、表示制御回路部９５は、普通図柄を液晶表示器１９の普通図柄表示部２０に表示するため、普通図柄の表示のために独立した表示装置を別に設ける必要がなくなり、パチンコ機の部品点数の削減化、及び組立工数の削減化を図ることができる。
【００８７】
更に、第２開閉扉３７が開放することによって第２始動口３８へ入賞した場合には、変動図柄が変動するため、遊技者の第２開閉扉３７の開放への興味を更に強く引きつけることができ、興趣をより増大させることができる。
【００８８】
尚、本発明は、前記第１及び第２実施形態に限定されるものではなく、本発明の要旨を逸脱しない範囲内で種々の改良、変形が可能であることは勿論である。例えば、以下のようにしてもよい。
（ａ）前記第１及び第２実施形態では、第２始動口３８に入賞すると液晶表示器１９の変動図柄が変動を開始する構成にしたが、通常の入賞口と同様に第２始動口３８に入賞した場合には、所定個数の賞球の払い出しのみを行う構成にしてもよい。
（ｂ）前記第１及び第２実施形態では、第２開閉扉３７を第１開閉扉３９の上側又は下側に配置したが、第２開閉扉３７を第１開閉扉３９の横側に配置し、両開閉扉３７、３９を閉じた場合には、ほぼ連続する面を形成するようにしてもよい。この場合には、特別入賞装置４１の高さ寸法を更に小型化可能となる。
（ｃ）前記第１及び第２実施形態では、時短・確変モードを有しない構成にしているが、時短・確変モードを有する構成にして、該時短・確変モードの場合には、第２開閉扉３７を開放する確率を通常時よりも高くしたり、第２開閉扉３７の開放時間を通常時よりも長くしたり、第２開閉扉３７を２回以上開放する構成にしてもよい。
（ｄ）前記第１及び第２実施形態では、普通図柄が「３３」又は「７７」で停止した場合には、第２開閉扉３７が１回開放されたが、断続的に２回若しくは２回以上開放される構成にしてもよい。
【００８９】
【発明の効果】
以上説明した通り請求項１のパチンコ機では、変動図柄が変動後所定の態様で停止すると、上方に開放される扉構造を有する第１開閉扉が所定回数開放されて大入賞口が開放され、遊技者に有利な遊技状態が発生する。また、上方に開放される扉構造を有する第２開閉扉が開放されて入賞可能となる入賞口が大入賞口の上下方向に近接して配置されている。そして、この第１開閉扉と第２開閉扉とが閉じた場合には、該第１開閉扉の前面と第２開閉扉の前面とが上下方向にほぼ連続する面を形成する。また、第１開閉扉を開閉駆動する第１ソレノイドの上端部と第２開閉扉を開閉駆動する第２ソレノイドの上端部とは、大入賞口の左右両端部の奥側においてほぼ同じ高さ位置になるように配設されている。
これにより、第１開閉扉と第２開閉扉とが閉じた場合に、第２開閉扉が第１開閉扉と上下方向にほぼ連続する面を形成するように設けられ、第２開閉扉と第１開閉扉との間に所定の距離を設けることなく、この第１開閉扉と第２開閉扉とを近接させることができるため、第１開閉扉と第２開閉扉とによって形成される連続面の上下寸法を小型化し、特別入賞装置の上下高さ寸法の小型化を図ることができる。また、第１ソレノイドと第２ソレノイドの各上端部は、大入賞口の左右両端部の奥側においてほぼ同じ高さ位置になるように配設されているため、第１開閉扉と第２開閉扉とを上下方向にほぼ連続する面を形成するように配置しても、大入賞口の左右両端部の奥側に第１ソレノイドを配置できる上下高さ寸法を確保するだけでよいことから、入賞球誘導部材の高さ寸法を小型化して、特別入賞装置の上下高さ寸法の更なる小型化を図ることができ、特別図柄表示装置の大型化に容易に対応することができるパチンコ機を提供することができる。
【００９０】
また、第１開閉扉と第２開閉扉とは、特別入賞装置の前面部に設けられるため、一体型として構成することができ、パチンコ機の遊技盤への取り付け作業の簡略化を図ることができるパチンコ機を提供することができる。
【００９１】
【００９２】
また、第２開閉扉を第１開閉扉の上側に設けた場合には、特別遊技状態が発生して第１開閉扉が開放された際に、第２開閉扉の開口部への入賞が妨げられず、遊技者の第２開閉扉の開放への興味を強く引きつけることができ、興趣を増大させることができるパチンコ機を提供することができる。
【００９３】
また、第２開閉扉を第１開閉扉の下側に設けた場合には、特別遊技状態が発生して第１開閉扉が開放された際に、第２開閉扉の開口部への入賞が妨げられ、該第１開閉扉と第２開閉扉とが同時に開放されても特別遊技状態における賞球払い出しにおける賞球個数の管理を容易に行うことができるパチンコ機を提供することができる。
【００９４】
【００９５】
【００９６】
【図面の簡単な説明】
【図１】  第１実施形態に係るパチンコ機全体を示した正面図である。
【図２】  第１実施形態に係るパチンコ機の遊技領域を示した正面図である。
【図３】  第１実施形態に係るパチンコ機の特別入賞装置を示す図で、（ａ）は上面図、（ｂ）は正面図である。
【図４】  第１実施形態に係るパチンコ機の特別入賞装置の各開閉扉を開放した場合を示す斜視図である。
【図５】  第１実施形態に係るパチンコ機の第１開閉扉の開閉動作を示す斜視図で、（ａ）は通常の閉鎖時、（ｂ）は開放時の動作を示す斜視図である。
【図６】  第１実施形態に係るパチンコ機の第２開閉扉の開閉動作を示す斜視図で、（ａ）は通常の閉鎖時、（ｂ）は開放時の動作を示す斜視図である。
【図７】  第１実施形態に係るパチンコ機の賞球の払い出し等に係る制御システムの構成を示すブロック図である。
【図８】  第１実施形態に係るパチンコ機の各ゲートをパチンコ球が通過した場合の制御処理を示すフローチャートである。
【図９】  第１実施形態に係るパチンコ機の「第２始動口開放処理」を示すサブフローチャートである。
【図１０】  第１実施形態に係るパチンコ機の各始動口に入賞した場合の制御処理を示すフローチャートである。
【図１１】  第１実施形態に係るパチンコ機の「大当たり遊技処理」を示すサブフローチャートである。
【図１２】  第２実施形態に係るパチンコ機の遊技領域を示した正面図である。
【符号の説明】
１                パチンコ機
２                遊技盤
１８              特別図柄表示装置
１９              液晶表示器
３１              第１始動口
３２、３３        ゲート
３７              第２開閉扉
３８              第２始動口
３９              第１開閉扉
４０              大入賞口
４１、１０１      特別入賞装置
４６              取付板
４７              入賞球誘導部材
５３              第２ソレノイド
５４              第１ソレノイド
【図１】
0004292441.tif 000002
【図２】
0004292441.tif 000003
【図３】
0004292441.tif 000004
【図４】
0004292441.tif 000005
【図５】
0004292441.tif 000006
【図６】
0004292441.tif 000007
【図７】
0004292441.tif 000008
【図８】
0004292441.tif 000009
【図９】
0004292441.tif 000010
【図１０】
0004292441.tif 000011
【図１１】
0004292441.tif 000012
【図１２】
0004292441.tif 000013